【手続補正書】
【提出日】平成18年12月13日(2006.12.13)
【手続補正１】
【補正対象書類名】明細書
【補正対象項目名】００２４
【補正方法】変更
【補正の内容】
【００２４】
溶接材料納入００４の際には、購入者は、購入者が発注００２した溶接材料００１であるかどうかを確認する受入検査００５を実施する。受入検査００５では、ＣＭＴＲ（ミルシート）と呼ばれる材料証明書００７と購入者が発注００２の際に溶接材料メーカに渡す購入仕様書００６との照合を行い、合否判定を行う。判定の結果、合格となった溶接材料００１には、溶接材料の銘柄、材料証明書００７のＮｏ．サイズ、ヒート（ロット）Ｎｏ．入庫量等の入力情報００９を溶接材料データベース０１０する。
【手続補正２】
【補正対象書類名】明細書
【補正対象項目名】００２５
【補正方法】変更
【補正の内容】
【００２５】
次に、電子タグ００８に入力された識別番号をリードライタ又はリーダ（以下、両者ともリーダーと呼ぶ）により読み込み、溶接材料００１の入力情報００９とリンク付けする。これにより、電子タグ００８の識別番号から溶接材料００１の入力情報００９が溶接材料データ-ベース０１０より得られるようになる。電子タグ００８は両面テープにて溶接材料００１の収納容器又は溶接材料００１自体に貼付けて０１１、溶接材料管理室に入庫し、溶接材料管理室入庫データ照合０１２する。
【手続補正３】
【補正対象書類名】明細書
【補正対象項目名】００２７
【補正方法】変更
【補正の内容】
【００２７】
溶接材料の管理室０１２では、溶接材料００１に取付けられた電子タグ００８の入力情報００９を電子タグ００８のリーダーにて読取り、溶接材料データベース０１０されている入力情報００９の項目である銘柄、材料証明書００７のＮｏ．サイズ、ヒート（ロット）Ｎｏ．入庫量等の情報と照合する。一致していれば、溶接材料データベース０１０に溶接材料管理室０１２に入庫されたことが記録され、溶接材料００１が使用可能な状態になる。
【手続補正４】
【補正対象書類名】明細書
【補正対象項目名】００３０
【補正方法】変更
【補正の内容】
【００３０】
管理室にて溶接材料管理室入庫データ照合０１２における管理者は、溶接材料００１の入力情報００９の溶接材料データベース０１０にアクセスし、当該溶接工程の識別番号を入力する。入力された当該溶接工程に使用できる溶接材料００１が溶接材料データベース０１０より抽出され、表示される。管理室０１２にて溶接材料管理室入庫データ照合０１２の管理者は、入庫されている溶接材料００１の中から使用可能な溶接材料００１を取り出し、溶接材料００１に貼り付けられた電子タグ００８をリーダーにて読取り、溶接材料データベース０１０より抽出された使用可能な溶接材料００１と相違ないか照合し、合致していれば溶接作業者に払出すことを溶接材料データベース０１０に払出し情報を入力し（０１５）、払出し状況、在庫量の管理を行う。
【手続補正５】
【補正対象書類名】明細書
【補正対象項目名】００３３
【補正方法】変更
【補正の内容】
【００３３】
溶接作業完了後、溶接作業者は溶接作業記録を作成するが溶接作業記録データベース０２２にアクセスし、使用した溶接材料００１の電子タグ００８をリーダーで読み込み、溶接材料データベース０１０にある溶接材料００１を入力情報００９から自動入力する。
【手続補正６】
【補正対象書類名】明細書
【補正対象項目名】００３４
【補正方法】変更
【補正の内容】
【００３４】
溶接作業者は、残った溶接材料００１及び使用限界まで使用した溶接材料００１の電子タグ００８を管理室０１２に返却する。管理室０１２の管理者は、返却された溶接材料００１の重量を測定し、実際に使用された溶接材料００１の重量を算出し、溶接材料００１の電子タグ００８の入力情報００９を当該パソコンに接続されたリーダーにより読み込むことにより溶接材料データベース０１０に入力する。この際、溶接材料返却によるデータベース入力０２３され、返却された日時も記録する。
【手続補正７】
【補正対象書類名】明細書
【補正対象項目名】００３６
【補正方法】変更
【補正の内容】
【００３６】
溶接材料００１の収納容器又は溶接材料００１自体に両面テープで貼り付けた電子タグ００８を乾燥炉及び保温炉に入れる前に電子タグ００８に記録されている識別番号と電子タグ００８が取付けられていた溶接材料００１の乾燥炉及び保温炉内での位置関係を決め、その配置データを作成し、その配置図に従い、リーダーにより各溶接材料００１の電子タグ００８の識別番号を読取り、配置データに従い、乾燥炉及び保温炉内に挿入直前に電子タグ００８を取り外し、配置した。また、各電子タグ００８の識別番号とリンクした溶接材料を溶接材料データベース０１０にパソコンを通じて、乾燥開始日時、終了日時、及び保温保管開始日時を入力した。また、補助的に従来技術で行っている個々の溶接材料（溶接棒）に再乾燥回数に応じたペイントを施す作業も合わせて実施した。乾燥１回目は１本の赤色の線、２回目は１本の赤色の線を追加して合計２本の赤い線をに溶接材料（溶接棒）の一部にペイントした。また、製造メーカからの梱包開封日も溶接材料返却時に溶接材料データベース０１０に入力している。また、製造年月日からの使用有効期限も合わせて入力しており、開封からの使用可能期限及び製造年月日からの使用可能期限のいずれか短い方をその溶接材料の使用期限として、溶接材料データベース０１０に入力され、使用期限が過ぎたものは、パソコン画面上に使用期限超過の表示をすると共に、溶接作業者に溶接材料データベース０１０への払出し情報入力０１５際の照合で使用不可であることを表示できるように有効期限チェック０２５できる。
【手続補正８】
【補正対象書類名】明細書
【補正対象項目名】００３７
【補正方法】変更
【補正の内容】
【００３７】
また、乾燥回数も溶接材料データベース０１０に乾燥開始日時、終了日時を入力することにより、積算回数を表示し、制限回数を超える乾燥を行うと乾燥日時を入力した時点で使用不可の表示が、例えばパソコンの画面上に出力されるように乾燥回数チェック０２４できる。尚、今後乾燥温度及び保温保管温度に十分対応可能な電子タグが製造されれば、当然電子タグ００８は、溶接材料収納容器又は溶接材料００１から取り外すことなく、乾燥及び保管を行うことができる。
【手続補正９】
【補正対象書類名】明細書
【補正対象項目名】００４４
【補正方法】変更
【補正の内容】
【００４４】
００１…溶接材料、００２…発注、００３…溶接材料製作、００４…溶接材料納入、００５…受入検査、００６…購入仕様書、００７…材料証明書、００８…電子タグ、００９…入力情報、０１０…溶接材料データベース、０１１…電子タグ溶接材料への貼付け、０１２…溶接材料管理室入庫データ照合、０１３…生産管理票に使用する溶接材料登録、０１４…溶接材料管理室持っていく、０１５…溶接材料データベースへの払出し情報入力、０１７…溶接材料払出し、０１８…溶接作業前チェック、０１９…製品用電子タグの情報入力、０２０…製品用電子タグの取付け、０２２…溶接記録データベース入力、０２３…溶接材料返却によるデータベース入力、０２４…乾燥回数チェック、０２５…有効期限チェック。
【手続補正１０】
【補正対象書類名】図面
【補正対象項目名】図１
【補正方法】変更
【補正の内容】
【図１】
2006192449.tif 000001
【手続補正１１】
【補正対象書類名】図面
【補正対象項目名】図２
【補正方法】変更
【補正の内容】
【図２】
2006192449.tif 000002